(57)【要約】【課題】  プロジェクタ内の部品の組立て誤差を受けずにプロジェクタ筐体内のライトバルブの傾きを高精度に検出するプロジェクタを提供する。【解決手段】  プロジェクタ筐体１の内部にシャーシ２が固定されている。プロジェクタ筐体１に、拡大レンズ６を保持した光学筒７が固定され、シャーシ２の側壁を貫通している。シャーシ２の内部にはランプ８とライトバルブ５が備えられている。シャーシ２の上面には電子回路基板３が取り付けられている。加速度センサ４はライトバルブ５に直接取り付けられている。ライトバルブ５は配線９で電子回路基板３に電気的に接続されている。【選択図】    図１
2005208135.tif 000002
【特許請求の範囲】
【請求項１】
傾きセンサーとライトバルブとを備えるプロジェクタにおいて、
前記傾きセンサーが前記ライトバルブに取り付けられていることを特徴とするプロジェクタ。
【請求項２】
筐体と、
前記筐体の内部に固定されたシャーシと、
前記シャーシの中に配置されたランプと、
前記ランプにより照明された前記ライトバルブの画像を拡大投影する光学系とを備え、
前記ライトバルブが前記シャーシの中に配置されている請求項１に記載のプロジェクタ。
【請求項３】
プロジェクタを傾けたときにプロジェクタの設置面に対して前記ライトバルブの画像形成面が略垂直な状態を維持するように前記ライトバルブを傾ける機構を有する、請求項１または２に記載のプロジェクタ。
【請求項４】
前記傾きセンサーが加速度センサーである請求項１から３のいずれかに記載のプロジェクタ。
【請求項５】
前記加速度センサーが、画像投射面に対して上下方向および左右方向の２つの加速度成分を検出する、請求項４に記載のプロジェクタ。
【請求項６】
前記ライトバルブとして液晶パネルまたはDMDパネルを用いた請求項１から５のいずれかに記載のプロジェクタ。
【発明の詳細な説明】
【技術分野】
【０００１】
本発明は、スクリーンや壁面に映像を投射するプロジェクタに関し、特に投射された映像の歪みを補正できるプロジェクタに関する。
【背景技術】
【０００２】
従来、プロジェクタにおいてプロジェクタ筐体を傾けてスクリーンに映像を投射した場合に生じる映像の歪みを補正することが行われている（例えば特許文献１，２参照）。
【０００３】
図４はこのような従来のプロジェクタの内部構造の一例を模式的に示した断面図である。
【０００４】
従来のプロジェクタは図４に示すようにプロジェクタ筐体１を備えている。プロジェクタ筐体１の内部にシャーシ２が固定されている。プロジェクタ筐体１に、拡大レンズ６を保持した光学筒７が固定され、シャーシ２の側壁を貫通している。
【０００５】
シャーシ２の内部にはランプ８とライトバルブ５が備えられている。ライトバルブ５には液晶パネルまたはDMDパネルなどが用いられている。
【０００６】
シャーシ２の上面には電子回路基板３が取り付けられ、電子回路基板３上に加速度センサー４が実装されている。ライトバルブ５は配線９で電子回路基板３に電気的に接続されている。
【０００７】
上記ライトバルブ５、ランプ８、ダイクロイックプリズム、および拡大レンズ６などによってプロジェクタの光学ユニットが構成されている。ライトバルブ５を通った映像が拡大レンズ６によってスクリーンや壁面等に投射される。
【０００８】
このようなプロジェクタでは、プロジェクタ筐体１を傾けてスクリーンに映像を投射するとき、加速度センサー４の出力結果から傾き量を算出し、この傾き量に応じて映像の歪みを補正する。
【特許文献１】特開２００３-２８３９６３号公報
【特許文献２】特開２００３-２９５３１０号公報
【発明の開示】
【発明が解決しようとする課題】
【０００９】
加速度センサー４の出力結果により、プロジェクタ筐体が床面に対して略水平であると判断される場合、床面と略垂直に張られているスクリーンには映像が歪みなく投射されていなければならない。
【００１０】
しかし、図４に示したようなプロジェクタでは、加速度センサー４が電子回路基板３に取り付けられていることから、加速度センサー４は電子回路基板３の水平度を監視しており、ライトバルブ５の傾きを直接監視していない。このため、シャーシ２に対しての電子回路基板３の組み付け誤差、ならびにシャーシ２に対してのライトバルブ５の組み付け誤差があると、加速度センサー４の出力結果が床面に対して水平であると判定しても投射映像がひずんでしまう場合がある。
【００１１】
本発明の目的は、上記従来技術の問題に鑑み、プロジェクタ内の部品の組立て誤差を受けずにプロジェクタ筐体内のライトバルブの傾きを高精度に検出する構造のプロジェクタを提供することにある。
【課題を解決するための手段】
【００１２】
上記目的を達成するために、本発明は、傾きセンサーと画像を形成するライトバルブとを備えるプロジェクタにおいて、前記傾きセンサーが前記ライトバルブに取り付けられていることを特徴とする。
【００１３】
上記のとおりの構成では、傾きセンサをライトバルブに直接取り付けられていることにより、プロジェクタ内におけるライトバルブの組み付け誤差の影響を受けずに、プロジェクタ筐体を設置面に対して傾けたときのライトバルブの傾き角度が直接、傾きセンサの出力によって得られる。この結果、傾きセンサの出力結果から設置面に対して水平であると判定されたとき、投射映像は歪むことなく映し出される。
【００１４】
上記のプロジェクタは、筐体と、前記筐体の内部に固定されたシャーシと、前記シャーシの中に配置されたランプと、前記ランプにより照明された前記ライトバルブの画像を拡大投影する光学系とを備え、前記ライトバルブが前記シャーシの中に配置されているものである。
【００１５】
上記のプロジェクタは、プロジェクタを傾けたときにプロジェクタの設置面に対して前記ライトバルブの画像形成面が略垂直な状態を維持するように前記ライトバルブを傾ける機構を有することが好ましい。
【００１６】
前記傾きセンサーが加速度センサーであることが好ましい。
【００１７】
前記加速度センサーが、画像投射面に対して上下方向および左右方向の２つの加速度成分を検出することが好ましい。
【００１８】
前記ライトバルブとして液晶パネルまたはDMDパネルを用いることが好ましい。
【発明の効果】
【００１９】
本発明によれば、傾きセンサーと画像を形成するライトバルブとを備えるプロジェクタにおいて、傾きセンサをライトバルブに直接取り付けられていることにより、プロジェクタ内の部品の組立て誤差を受けずにプロジェクタ筐体内のライトバルブの傾きを高精度に検出することができる。このため、傾きセンサの出力結果から設置面に対して水平であると判定されたときは、歪みのない投射映像を映し出すことができる。
【発明を実施するための最良の形態】
【００２０】
次に本発明の実施の形態について図面を参照して説明する。以下では図４に示した従来技術と異なる点を説明する。
【００２１】
図１は本発明の実施の形態によるプロジェクタの内部構造の一例を模式的に示した断面図である。図２は図１に示したプロジェクタの制御構成を示すブロック図である。
【００２２】
これらの図に示すように、本実施形態のプロジェクタ１３はライトバルブ５と角度検出部１０と歪み補正部１１と画像入力部１２とを備える。
【００２３】
画像入力部１２はDVDプレーヤ、ビデオデッキ、パーソナルコンピュータなどの画像出力装置から出力された画像を入力する。
【００２４】
加速度センサ４はライトバルブ５に直接取り付けられており（図１）、加速度成分に応じた電圧を出力する。角度検出部１０はこの加速度センサ４から出力された電圧値を基にプロジェクタ１３の設置角度を検出する。プロジェクタ１３の設置角度を検出する角度検出手段は加速度センサ４に限られず、振り子を利用した角度センサであってもよい。
【００２５】
歪み補正部１１は、CPUやメモリを備えたコンピュータにより構成されており、画像入力部１２から入力された画像に対して台形歪み補正を施す。この際、角度検出部１０から入力した角度情報に応じてその補正量を調整する。
【００２６】
ライトバルブ５は液晶パネルまたはDMDパネルなどを使用し、液晶パネルの場合は反射式や透過式のパネルのいずれでもよい。ライトバルブ５には歪み補正部１１により補正された画像が形成される。ライトバルブ５に形成された画像は、ランプ８から射出された光により照明され、光学筒７内に構成された拡大レンズ６によって画像投射面である不図示のスクリーンあるいは壁面に拡大投映される。
【００２７】
本実施形態では、図１に示すように、加速度センサ４をライトバルブ５に直接取り付けられていることにより、シャーシ２に対しての電子回路基板３の組み付け誤差、ならびにシャーシ２に対してのライトバルブ５の組み付け誤差の影響を受けずに、プロジェクタ筐体１を机上などの設置面に対して傾けたときのライトバルブ５の傾き角度が直接、加速度センサ４の出力によって得られる。この結果、加速度センサ４の出力結果から設置面に対して水平であると判定されたとき、投射映像は歪むことなく映し出される。
【００２８】
さらに、加速度センサ４は、画像投射面に対して上下方向の加速度成分を検出するのに加え、画像投射面に対して左右方向の加速度成分も検出できるものに代えた場合、画像投射面と直交する軸を中心とする投射映像の回転方向のずれに対しても誤差が無くなる。
【００２９】
次に、本発明のプロジェクタの別の実施の形態について説明する。
【００３０】
図３は本発明のプロジェクタの別の実施の形態を模式的に示した断面図である。
【００３１】
図３に示す形態は、図１に示した形態のライトバルブ５をあおり機構付きライトバルブ５１に代えたプロジェクタである。このあおり機構付きライトバルブ５１に加速度センサ４が直接取り付けられている。あおり機構付きライトバルブ５１は図３に示すように、拡大レンズ６が配置された面側の部分を設置面１４よりも上方に持ち上げたとき、設置面１４に対してパネル面（画像形成面）が略垂直な状態を維持するように傾く。これにより、投射映像が歪むことなく映し出すことができる。
【００３２】
このような構成では、拡大レンズ６が配置された面側の部分を設置面１４よりも上方に持ち上げたときに加速度センサ４の出力値を一定に保つようにすることにより、歪みのない投射映像を映し出せるので、制御処理が簡略化できる。
【図面の簡単な説明】
【００３３】
【図１】本発明の実施の形態によるプロジェクタの内部構造の一例を模式的に示した断面図である。
【図２】図１に示したプロジェクタの画像歪み制御を行う構成部を示すブロック図である。
【図３】本発明のプロジェクタの別の実施の形態においてあおり投射した状態を示した断面図である。
【図４】従来のプロジェクタの内部構造の一例を模式的に示した断面図である。
【符号の説明】
【００３４】
１      プロジェクタ筐体
２      シャーシ
３      電子回路基板
４      加速度センサ
５      ライトバルブ
６      拡大レンズ
７      光学筒
８      ランプ
９      配線
１０      角度検出部
１１      歪み補正部
１２      画像入力部
１３      プロジェクタ
５１      あおり機構付きライトバルブ
【図１】
2005208135.tif 000003
【図２】
2005208135.tif 000004
【図３】
2005208135.tif 000005
【図４】
2005208135.tif 000006